(57)【要約】      （修正有）【課題】流動性、経時保存安定性に優れ、経時による増粘、コントラスト比の低下が抑制されたカラーフィルタ用着色レジスト及び、高コントラスト比のカラーフィルタを提供する。【解決手段】ハロゲン化亜鉛フタロシアニン顔料を含む緑色有機顔料と透明樹脂または有機溶剤を含む顔料組成物と、黄色有機顔料を透明樹脂および有機溶剤に湿式分散してなる顔料分散体とを混合し、さらにメディア型湿式分散機を用いて湿式分散して顔料分散体を製造する工程と、さらに得られた顔料分散体Ｃに光重合性単量体を混合する工程を含む着色レジストの製造方法。【選択図】なし【特許請求の範囲】
【請求項１】
ハロゲン化亜鉛フタロシアニン顔料を含む緑色有機顔料Ａと透明樹脂または有機溶剤を含む顔料組成物Ａと、黄色有機顔料Ｂを透明樹脂および有機溶剤に湿式分散してなる顔料分散体Ｂとを混合し、さらにメディア型湿式分散機を用いて湿式分散して顔料分散体Ｃを製造する工程（ａ）と、さらに工程（ａ）で得られた顔料分散体Ｃに光重合性単量体を混合する工程（ｂ）を含むことを特徴とするカラーフィルタ用着色レジストの製造方法。
【請求項２】
顔料組成物Ａがハロゲン化亜鉛フタロシアニン顔料を含む緑色有機顔料Ａと透明樹脂および有機溶剤を湿式分散してなる顔料分散体Ａであることを特徴とする請求項１記載のカラーフィルタ用着色レジストの製造方法。
【請求項３】
顔料組成物Ａまたは顔料分散体Ｂが顔料分散剤を含むことを特徴とする請求項１又は２記載のカラーフィルタ用着色レジストの製造方法。
【請求項４】
顔料分散体Ｃに含まれる緑色有機顔料Ａの含有量が全顔料重量を基準として、６８％〜９５重量％の範囲であることを特徴とする請求項１〜３いずれか記載のカラーフィルタ用着色レジストの製造方法。
【請求項５】
請求項１〜４いずれか記載の製造方法により製造されることを特徴とするカラーフィルタ用着色レジスト。
【請求項６】
請求項５記載のカラーフィルタ用着色レジストを用いて形成されたフィルタセグメントを具備することを特徴とするカラーフィルタ。
【発明の詳細な説明】
【技術分野】
【０００１】
本発明は、カラー液晶表示装置および固体撮像素子に用いられるカラーフィルタを構成するフィルタセグメントの形成に用いられるカラーフィルタ用着色レジストの製造方法、該製造方法により製造されるカラーフィルタ用着色レジスト、ならびに該カラーフィルタ用着色レジストを用いて得られるカラーフィルタに関する。
【背景技術】
【０００２】
現在、カラーフィルタの製造方法としては、耐光性、耐熱性に優れる顔料を着色剤とする顔料分散法と呼ばれる方法が主流となっている。顔料分散法では、例えば、透明樹脂または溶剤中に顔料を分散した顔料分散体を作製し、これに光重合性単量体、光重合開始剤等を混合、調整してなるカラーフィルタ用着色レジストが用いられている。
【０００３】
また、カラーフィルタのような光の透過により色表現する機能を有する部材においては、高透過率、高コントラスト比、耐光性などが求められ、一般的に微細化した顔料が用いられている。特に近年は、液晶表示装置に対してより高輝度、高コントラスト比が求められることから、極限まで微細化処理して一次粒子の粒径を小さくした顔料が用いられるようになっている。このような微細化処理した顔料の一次粒子の一部は、凝集して二次粒子を生成するため、一般には分散機を用いて顔料を透明樹脂または溶剤中に分散することにより、顔料の二次粒子をほぐしている。しかしながら、顔料を透明樹脂または溶剤中に分散する際に、過度な分散を行うと、二次粒子が一次粒子へほぐされるのと並行して、一次粒子の破砕が進み、得られる顔料分散体の安定性が低下する。また、カラーフィルタ用着色レジストの中間体として製造される顔料分散体は、後工程で添加する光重合性単量体、光重合開始剤等の溶解性やカラーフィルタ用着色レジストの組成自由度向上のため、特に顔料濃度や固形分をあげて調整されることが多い。従って、顔料分散体では、顔料と樹脂および溶剤との相互作用が大きくなり、顔料分散体の方が、最終のカラーフィルタ用着色レジストと比べて、顔料の分散度および粘性のコントロールが難しい。そのため、このような顔料分散体を用いてカラーフィルタ用着色レジストを調整すると、液晶表示装置の画素欠陥の要因となる大きさの塊状の顔料固形物を形成することがある。
【０００４】
また、カラーフィルタを形成するＲＧＢ（赤、緑、青）などの各色フィルタセグメントは、一般に単一の顔料だけでは目標の分光スペクトルを得られないために２種以上の顔料を含む顔料分散体を用いることが多いが、異なる種類の顔料はヘテロ凝集を生じやすく、２種以上の微細な顔料を含む場合には、安定な顔料分散体を得ることが特に困難となっている。
【０００５】
中でも近年、緑色フィルタセグメントの形成に用いられるカラーフィルタ用着色レジストに用いられ、高明度、高コントラスト比を満たす色材として注目されているハロゲン化亜鉛フタロシアニン顔料は、ハロゲン化亜鉛フタロシアニン顔料のみでは所望の分光スペクトルが得にくいため、例えば特許文献１に記載のように黄色顔料の顔料分散体を混合して分光スペクトルを調整していることが多い。しかしながら、ハロゲン化亜鉛フタロシアニン顔料は、単色のみでも分散することが難しい顔料であることが知られており、これを用いた顔料分散体に黄色顔料の顔料分散体を混合すると、さらに分散系のバランスを崩すことが多く、コントラスト比が高く、経時において安定なカラーフィルタ用着色レジストを得ることは非常に困難であった。
【先行技術文献】
【特許文献】
【０００６】
【特許文献１】特開２００３−１６１８２８号公報
【発明の概要】
【発明が解決しようとする課題】
【０００７】
本発明の課題は、流動性、経時保存安定性に優れ、経時による増粘、コントラスト比の低下が抑制されたカラーフィルタ用着色レジストを提供することにある。
また、本発明の課題は、高コントラスト比のカラーフィルタを提供することにある。
【課題を解決するための手段】
【０００８】
本発明のカラーフィルタ用着色レジストの製造方法は、ハロゲン化亜鉛フタロシアニン顔料を含む緑色有機顔料Ａと透明樹脂または有機溶剤を含む顔料組成物Ａと、黄色有機顔料Ｂを透明樹脂および有機溶剤に湿式分散してなる顔料分散体Ｂとを混合し、さらにメディア型湿式分散機を用いて湿式分散して顔料分散体Ｃを製造する工程（ａ）と、さらに工程（ａ）で得られた顔料分散体Ｃに光重合性単量体を混合する工程（ｂ）を含むことを特徴とする。
【０００９】
本発明のカラーフィルタ用着色レジストの製造方法において、顔料組成物Ａがハロゲン化亜鉛フタロシアニン顔料を含む緑色有機顔料Ａと透明樹脂および有機溶剤を湿式分散してなる顔料分散体Ａであることが好ましい。
【００１０】
また、本発明のカラーフィルタ用着色レジストの製造方法において、顔料組成物Ａまたは顔料分散体Ｂは顔料分散剤を含んでいることが好ましい。
【００１１】
また、本発明のカラーフィルタ用着色レジストの製造方法において、顔料分散体Ｃに含まれる緑色有機顔料Ａの含有量は、全顔料重量を基準として、６８〜９５重量％の範囲であることが好ましい。
【００１２】
また、本発明のカラーフィルタ用着色レジストは、前記カラーフィルタ用着色レジストの製造方法により製造されることを特徴とする。
【００１３】
また、本発明のカラーフィルタは、前記カラーフィルタ用着色レジストを用いて形成されたフィルタセグメントを具備することを特徴とする。
【発明の効果】
【００１４】
本発明のカラーフィルタ用着色レジストの製造方法により、ハロゲン化亜鉛フタロシアニン顔料を含む緑色有機顔料Ａを含む顔料組成物Ａと、黄色有機顔料Ｂをあらかじめ透明樹脂および有機溶剤中に均一に湿式分散した顔料分散体Ｂとを混合し、さらにメディア型湿式分散機を用いて湿式分散することで、経時保存安定性が良く、経時コントラスト比低下や、経時増粘等が抑制されたカラーフィルタ用着色レジストを製造することができる。また、本発明により、高いコントラスト比を有するカラーフィルタを得ることができる。
【発明を実施するための最良の形態】
【００１５】
以下、本発明を詳細に説明する。
本発明におけるカラーフィルタ用着色レジストの製造方法は、ハロゲン化亜鉛フタロシアニン顔料を含む緑色有機顔料Ａと透明樹脂または有機溶剤を含む顔料組成物Ａと、黄色有機顔料Ｂを透明樹脂および有機溶剤に湿式分散してなる顔料分散体Ｂとを混合し、さらにメディア型湿式分散機を用いて湿式分散して顔料分散体Ｃを製造する工程（ａ）と、さらに工程（ａ）で得られた顔料分散体Ｃに光重合性単量体を混合する工程（ｂ）を含むことを特徴とする。
【００１６】
＜顔料分散体Ｃの製造方法：工程（ａ）＞
まず、顔料分散体Ｃを製造する工程（ａ）について説明する。
本発明のカラーフィルタ用着色レジストの製造方法における、顔料分散体Ｃを製造する工程（ａ）は、ハロゲン化亜鉛フタロシアニン顔料を含む緑色有機顔料Ａと透明樹脂または有機溶剤を含む顔料組成物Ａと、黄色有機顔料Ｂを透明樹脂および有機溶剤に湿式分散してなる顔料分散体Ｂとを混合し、さらにメディア型湿式分散機を用いて湿式分散する工程からなる。
【００１７】
（顔料組成物Ａ、顔料分散体Ａの製造）
本発明の顔料組成物Ａは、ハロゲン化亜鉛フタロシアニン顔料を含む緑色有機顔料Ａと透明樹脂または有機溶剤からなり、透明樹脂および有機溶剤をともに含んでいてもよい。
顔料組成物Ａは、緑色有機顔料Ａと透明樹脂または有機溶剤とを攪拌機等により混合するだけで製造することができるが、緑色有機顔料Ａと透明樹脂および有機溶剤を湿式分散して製造し、顔料分散体Ａとして用いると、高コントラスト比となるため、好ましい。
【００１８】
（顔料分散体Ｂの製造）
顔料分散体Ｂは、黄色有機顔料Ｂを透明樹脂および有機溶剤に湿式分散してなる顔料分散体である。
【００１９】
顔料分散体Ａおよび顔料分散体Ｂの製造における湿式分散は、有機顔料、透明樹脂、有機溶剤、および必要に応じて顔料分散剤、添加剤等を混合して、三本ロールミル、二本ロールミル、バンバリーミキサー、ニーダー、一軸押出機、二軸押出機、超音波分散機、または円筒型分散機の横型、縦型、さらには環状型（アニュラータイプ）等のビーズミルのようなメディア型湿式分散機で分散することにより行うことができる。また、顔料分散体Ａおよび顔料分散体Ｂは、有機顔料と熱可塑性樹脂とを含む着色チップの形態を経て製造した顔料分散体でも良い。着色チップは、有機顔料、熱可塑性樹脂および必要に応じて顔料分散剤などのその他の成分を、ヘンシェルミキサー、クーラーミキサー、ナウターミキサー、ドラムミキサー、タンブラー等を用い混合した後に、三本ロールミル、二本ロールミル、バンバリーミキサー、ニーダー、一軸押出機、二軸押出機等により加熱、混練し、冷却後粉砕することにより製造される。こうして製造された着色チップは、必要に応じ、ハンマーミル、ターボクラッシャー、エアージェットミルなどの各種粉砕装置を用い微細化され、有機溶剤に攪拌溶解するだけで容易に溶解する。着色チップは、そのまま用いることもでき、さらにビーズミル等のメディア型湿式分散機で有機溶剤に分散しておくこともできる。
着色チップを用いる方法は、得られるカラーフィルタのコントラスト比向上効果が大きくなるため好ましい。
【００２０】
（顔料分散体Ｃの製造）
顔料分散体Ｃは、顔料組成物Ａまたは顔料分散体Ａと、顔料分散体Ｂとを混合し、さらにメディア型湿式分散機を用いて湿式分散することにより製造される。
メディア型湿式分散機の種類としては、横型、縦型、さらには環状型（アニュラータイプ）の円筒型分散機があり、例えば、ペイントコンディショナー、アトライター、サンドミル、ダイノミル、ボールミル、スーパーアペックスミル、コボールミル、ダイヤモンドファインミル、ＤＣＰミル、ＯＢミル、アイガーミル、スパイクミル、ピコグレンミル等のビーズミルが挙げられる。なかでも環状型（アニュラータイプ）分散機であるスーパーアペックスミル、アイガーミル、ＤＣＰミル、ピコグレンミルなどが好ましい。
【００２１】
メディアの材質は、剛体であれば特に限定されるものでなく、一般に用いられているガラス、スチール、ステンレス、陶磁器、ジルコン、ジルコニア等が挙げられる。また、メディアの粒径は、微分散、高コントラスト比を達成するために１．０ｍｍφ以下が好ましく、さらに０．５〜０．０５ｍｍφの範囲のメディアを用いると、より高コントラスト比の効果を発揮しやすいため好ましい。また、あらかじめ粒径の大きいメディアを用いた湿式分散機で分散した後に、それよりも粒径の小さいメディアを用いて多段階の湿式分散を行うことも分散効率の面で好ましい。分散方法としては、循環およびパス分散のいずれでも用いることができる。
【００２２】
このように、黄色有機顔料Ｂを透明樹脂および有機溶剤中にあらかじめ湿式分散し、均一に分散した顔料分散体Ｂと、ハロゲン化亜鉛フタロシアニン顔料を含む緑色有機顔料Ａを含む顔料組成物Ａを混合し、さらにメディア型湿式分散機を用いて湿式分散することにより、透明樹脂および有機溶剤中に分散された２種以上の微細化された顔料同士が安定に存在することができ、経時による増粘、およびコントラスト比の低下を抑制することが可能となる。この結果、工程（ａ）で得られた顔料分散体Ｃに光重合性単量体を混合する工程（ｂ）を含む本発明の製造方法により製造されるカラーフィルタ用着色レジストも、流動性、経時保存安定性に優れたものとなる。
【００２３】
＜顔料組成物Ａ、顔料分散体Ａ、及び顔料分散体Ｂの構成材料＞
以下、本発明の顔料組成物Ａ、顔料分散体Ａ、及び顔料分散体Ｂを構成する各成分について説明する。
【００２４】
（有機顔料）
顔料組成物Ａ、顔料分散体Ａ、及び顔料分散体Ｂに用いられる有機顔料の具体例を、カラーインデックス番号で示す。
本発明の顔料組成物Ａおよび顔料分散体Ａは、ハロゲン化亜鉛フタロシアニン顔料を含む緑色有機顔料Ａを用いることを特徴とする。代表的なハロゲン化亜鉛フタロシアニン顔料としては、Ｃ．Ｉ．ピグメントグリーン５８を挙げることができる。ハロゲン化亜鉛フタロシアニン顔料を使用することによって、他の緑色顔料では得られなかった高い明度を得ることができる。
【００２５】
黄色有機顔料Ｂは、色調整や補色目的で用いられ、使用することができる黄色顔料としては、Ｃ．Ｉ．ピグメントイエロー１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、および２１４等を挙げることができる。
これらの中でもＣ．Ｉ．ピグメントイエロー１３８、１３９、１５０等を併用することが、色度領域を広げることができる点で好ましい。
【００２６】
工程（ａ）により得られる顔料分散体Ｃに含まれる緑色有機顔料Ａの含有量は、用途に応じて適宜選択することができ、全顔料重量を基準（１００重量％）として、５６〜９７重量％の範囲であることが好ましく、さらに好ましくは６８〜９５重量％である。有機顔料Ａの割合が９５重量％以下であると経時によりコントラスト比の低下が小さくなり、有機顔料Ａの割合が６８重量％以上であると経時増粘の程度が小さくなるため、好ましい。
【００２７】
また、顔料組成物Ａ、顔料分散体Ａおよび顔料分散体Ｂに用いられる有機顔料の体積平均一次粒子径は、２０〜１００ｎｍであることが好ましく、特に好ましいのは２５〜８５ｎｍの範囲である。有機顔料の体積平均一次粒子径が２０ｎｍ以上であると有機溶剤中への分散が容易であり、１００ｎｍ以下であると十分なコントラスト比を得ることができるため、好ましい。
本発明における体積平均一次粒子径は、透過型（ＴＥＭ）電子顕微鏡写真を用いて、１００個の顔料の一次粒子の短軸径と長軸径を計測し、短軸径と長軸径の平均をその顔料粒子の粒径（ｄ）とし、次いで個々の顔料が、求めた粒径を有する球と仮定してそれぞれの粒子の体積（Ｖ）を求め、この作業を１００個の顔料粒子について行い、そこから下式より得られる体積平均粒径（ＭＶ）を平均一次粒子径としたものである。
ＭＶ＝Σ（Ｖ・ｄ）／Σ（Ｖ）
【００２８】
（顔料の微細化）
顔料組成物Ａ、顔料分散体Ａおよび顔料分散体Ｂに用いられる有機顔料は、例えばソルトミリング処理を行い、微細化することが好ましい。
ソルトミリング処理とは、有機顔料と水溶性無機塩と水溶性有機溶剤との混合物を、ニーダー、２本ロールミル、３本ロールミル、ボールミル、アトライター、サンドミル等の混練機を用いて、加熱しながら機械的に混練した後、水洗により水溶性無機塩と水溶性有機溶剤を除去する処理である。水溶性無機塩は、破砕助剤として働くものであり、ソルトミリング時に無機塩の硬度の高さを利用して顔料が破砕され、それにより活性面が生じて、結晶成長がおこると考えられている。従って、混練時は有機顔料の破砕と結晶成長が同時に起こり、混練条件により得られる有機顔料の一次粒子径および形状が異なる。
【００２９】
得られる有機顔料の一次粒子径および形状の観点から、加熱温度が４０〜１５０℃であることが好ましい。加熱温度が４０℃未満の場合は、結晶成長が十分に起こらず、顔料粒子の形状が無定形に近くなるため好ましくない。一方、加熱温度が１５０℃を越える場合は、結晶成長が進みすぎ、顔料の一次粒子径が大きくなるため、カラーフィルタ用着色レジストの着色料としては好ましくない。また、ソルトミリング処理の混練時間は、ソルトミリング処理顔料の一次粒子の粒度分布とソルトミリング処理に要する費用のバランスの点から２〜２４時間であることが好ましい。
【００３０】
また、ソルトミリング処理に用いる水溶性無機塩としては、塩化ナトリウム、塩化バリウム、塩化カリウム、硫酸ナトリウム等を用いることができるが、価格の点から塩化ナトリウム（食塩）を用いるのが好ましい。水溶性無機塩は、処理効率と生産効率の両面から、有機顔料１００重量部に対して、５０〜２０００重量部用いることが好ましく、３００〜１０００重量部用いることが最も好ましい。
【００３１】
また、水溶性有機溶剤は、有機顔料および水溶性無機塩を湿潤する働きをするものであり、水に溶解（混和）し、かつ用いる無機塩を実質的に溶解しないものであれば特に限定されない。ただし、ソルトミリング時に温度が上昇し、溶剤が蒸発し易い状態になるため、安全性の点から、沸点１２０℃以上の高沸点溶剤が好ましい。例えば、２−メトキシエタノール、２−ブトキシエタノール、２−（イソペンチルオキシ）エタノール、２−（ヘキシルオキシ）エタノール、ジエチレングリコール、ジエチレングリコールモノエチルエーテル、ジエチレングリコールモノブチルエーテル、トリエチレングリコール、トリエチレングリコールモノメチルエーテル、液状のポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、液状のポリプロピレングリコール等が用いられる。水溶性有機溶剤は、有機顔料１００重量部に対して、５〜１０００重量部用いることが好ましく、５０〜５００重量部用いることが最も好ましい。
【００３２】
ソルトミリング処理する際には、必要に応じて樹脂を添加してもよい。用いられる樹脂の種類は特に限定されず、天然樹脂、変性天然樹脂、合成樹脂、天然樹脂で変性された合成樹脂等を用いることができる。用いられる樹脂は、室温で固体であり、水不溶性であることが好ましく、かつ上記有機溶剤に一部可溶であることがさらに好ましい。樹脂の使用量は、有機顔料１００重量部に対して５〜２００重量部の範囲であることが好ましい。
【００３３】
（顔料分散剤）
本発明における顔料組成物Ａまたは顔料分散体Ｂは、適宜、顔料誘導体や、樹脂型顔料分散剤、界面活性剤等の顔料分散剤を含むことが好ましい。顔料分散剤は、有機顔料の分散に優れ、顔料組成物および顔料分散体中の有機顔料の再凝集を防止する効果が大きいので、顔料分散剤を含有する着色レジストを用いることにより、透明性に優れたカラーフィルタが得られる。そのため、顔料組成物Ａ、顔料分散体Ｂともに顔料分散剤を含んでいることが好ましい。
【００３４】
色素誘導体は、下記一般式（１）で示される化合物であり、塩基性置換基を有するものと酸性置換基を有するものとがある。
【００３５】
一般式（１）：
Ａ−Ｂ      式（１）
Ａ：有機色素残基
Ｂ：塩基性置換基又は酸性置換基
【００３６】
色素誘導体は、例えば、特開昭６３−３０５１７３号公報、特公昭５７−１５６２０号公報、特公昭５９−４０１７２号公報、特公昭６３−１７１０２号公報、又は特公平５−９４６９号公報等に記載されているものを使用でき、これらは単独で又は２種類以上を混合して用いることができる。
色素誘導体の配合量は、好ましくは０．１〜３０重量部であり、最も好ましくは、顔料１００重量部に対して０．５〜２５重量部である。顔料全量に対し色素誘導体の配合量が、０．１重量部未満であると分散性が悪くなる場合があり、３０重量部を超えると耐熱性、耐光性が悪くなる場合がある。
【００３７】
樹脂型顔料分散剤としては、顔料に吸着する性質を有する顔料親和性部位と、色素担体と相溶性のある部位とを有し、顔料に吸着して顔料の色素担体への分散を安定化する働きをするものである。樹脂型顔料分散剤として具体的には、ポリウレタン、ポリアクリレートなどのポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩などの油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドンなどの水溶性樹脂や水溶性高分子化合物、ポリエステル系、変性ポリアクリレート系、エチレンオキサイド／プロピレンオキサイド付加化合物、燐酸エステル系等が用いられ、これらは単独でまたは２種以上を混合して用いることができる。
【００３８】
市販の樹脂型顔料分散剤としては、ビックケミー社製のＤｉｓｐｅｒｂｙｋ−１０１、１０３、１０７、１０８、１１０、１１１、１１６、１３０、１４０、１５４、１６１、１６２、１６３、１６４、１６５、１６６、１７０、１７１、１７４、１８０、１８１、１８２、１８３、１８４、１８５、１９０、２０００、２００１、またはＡｎｔｉ−Ｔｅｒｒａ−Ｕ、２０３、２０４、またはＢＹＫ−Ｐ１０４、Ｐ１０４Ｓ、２２０Ｓ、またはＬａｃｔｉｍｏｎ、Ｌａｃｔｉｍｏｎ−ＷＳまたはＢｙｋｕｍｅｎ等、日本ルーブリゾール社製のＳＯＬＳＰＥＲＳＥ−３０００、９０００、１３２４０、１３６５０、１３９４０、１７０００、１８０００、２００００、２１０００、２４０００、２６０００、２７０００、２８０００、３１８４５、３２０００、３２５００、３２６００、３４７５０、３６６００、３８５００、４１０００、４１０９０、５３０９５等、エフカケミカルズ社製のＥＦＫＡ−４６、４７、４８、４５２、ＬＰ４００８、４００９、ＬＰ４０１０、ＬＰ４０５０、ＬＰ４０５５、４００、４０１、４０２、４０３、４５０、４５１、４５３、４５４０、４５５０、ＬＰ４５６０、１２０、１５０、１５０１、１５０２、１５０３等が挙げられる。
【００３９】
界面活性剤としては、ポリオキシエチレンアルキルエーテル硫酸塩、ドデシルベンゼンスルホン酸ナトリウム、スチレン−アクリル酸共重合体のアルカリ塩、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、ポリオキシエチレンアルキルエーテルリン酸エステルなどのアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレートなどのノニオン性界面活性剤；アルキル４級アンモニウム塩やそれらのエチレンオキサイド付加物などのカオチン性界面活性剤；アルキルジメチルアミノ酢酸ベタインなどのアルキルベタイン、アルキルイミダゾリンなどの両性界面活性剤が挙げられ、これらは単独でまたは２種以上を混合して用いることができる。
【００４０】
樹脂型顔料分散剤、界面活性剤を添加する場合には、顔料１００重量部に対し好ましくは０．１〜５５重量部、さらに好ましくは０．１〜４５重量である。分散助剤の配合量が、０．１重量部未満の場合には、添加した効果が得られ難く、配合量が５５重量部より多いと、過剰な分散助剤により分散に影響を及ぼすことがある。
【００４１】
（透明樹脂）
透明樹脂としては、可視光領域の４００〜７００ｎｍの全波長領域において分光透過率が８０％以上、さらには９５％以上の樹脂が好ましく、熱可塑性樹脂、熱硬化性樹脂、エチレン性不飽和二重結合を有する光重合性樹脂を用いることができる。
【００４２】
熱可塑性樹脂としては、例えば、ブチラール樹脂、スチレンーマレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、ビニル系樹脂、アルキッド樹脂、ポリスチレン樹脂、ポリアミド樹脂、ゴム系樹脂、環化ゴム系樹脂、セルロース類、ポリエチレン（HDPE、LDPE）、ポリブタジエン、およびポリイミド樹脂等が挙げられる。
また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、およびフェノール樹脂等が挙げられる。
【００４３】
また、エチレン性不飽和二重結合を有する光重合性樹脂としては、例えば、水酸基、カルボキシル基、アミノ基等の反応性の置換基を有する線状高分子と、イソシアネート基、アルデヒド基、エポキシ基等の反応性置換基を有する（メタ）アクリル化合物やケイヒ酸を反応させて、（メタ）アクリロイル基、スチリル基等の光硬化性基を該線状高分子に導入した樹脂や、スチレン−無水マレイン酸共重合物やα−オレフィン−無水マレイン酸共重合物等の酸無水物を含む線状高分子をヒドロキシアルキル（メタ）アクリレート等の水酸基を有する（メタ）アクリル化合物によりハーフエステル化した樹脂等が挙げられる。
本発明のカラーフィルタ用レジストをアルカリ現像型着色レジストの形態で用いる場合は、透明樹脂として、例えばカルボキシル基等の酸性基を有する、熱可塑性、熱硬化性または光重合性樹脂を用いることが好ましい。
【００４４】
顔料組成物Ａ、顔料分散体Ａおよび顔料分散体Ｂに用いられる透明樹脂は、顔料１００重量部に対し好ましくは１７〜７１０重量部、さらに好ましくは７６〜２６７重量部である。
【００４５】
（有機溶剤）
顔料組成物Ａ、顔料分散体Ａおよび顔料分散体Ｂに用いられる有機溶剤としては、例えば1,2,3−トリクロロプロパン、1,3−ブタンジオール、1,3-ブチレングリコール、1,3-ブチレングリコールジアセテート、1,4−ジオキサン、2−ヘプタノン、2−メチル−1,3−プロパンジオール、3,5,5-トリメチル-2-シクロヘキセン-1-オン、3,3,5−トリメチルシクロヘキサノン、3−エトキシプロピオン酸エチル、3−メチル−1,3−ブタンジオール、3−メトキシ−3−メチル−1−ブタノール、3−メトキシ−3−メチルブチルアセテート、3-メトキシブタノール、3−メトキシブチルアセテート、4−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、n−ブチルアルコール、ｎ−ブチルベンゼン、n−プロピルアセテート、Ｎ−メチルピロリドン、o−キシレン、o−クロロトルエン、ｏ−ジエチルベンゼン、ｏ−ジクロロベンゼン、ｐ−クロロトルエン、ｐ−ジエチルベンゼン、ｓｅｃ−ブチルベンゼン、ｔｅｒｔ−ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸n−アミル、酢酸n−ブチル、酢酸イソアミル、酢酸イソブチル、酢酸プロピル、二塩基酸エステル等が挙げられ、これらを単独でもしくは混合して用いる。
好ましい有機溶剤は、プロピレングリコールモノメチルエーテルアセテート、プロピレングリコールモノエチルエーテルアセテート、３−メトキシブチルアセテート、エチレングリコールモノメチルエーテルアセテート、エチレングリコールモノエチルエーテルアセテート、シクロヘキシルアセテート、シクロヘキサノン、および２−アセトキシプロピオン酸エチルである。また、より好ましい有機溶剤は、プロピレングリコールモノメチルエーテルアセテート、プロピレングリコールモノエチルエーテルアセテート、エチレングリコールモノメチルエーテルアセテート、エチレングリコールモノエチルエーテルアセテート、シクロヘキサノンおよびシクロヘキシルアセテートである。
２種以上の有機溶剤を用いる場合は、顔料や樹脂との親和性や有機溶剤の乾燥性等を考慮して適宜その比率を増減する。
【００４６】
また、顔料分散体に用いられる有機溶剤は、着色レジストが塗工装置内で乾燥し固体状の凝集物や乾燥膜にならないためには、７６０mmHgにおける沸点が１３０℃以上であることが好ましく、より好ましくは１４０℃以上である。また、基板に塗工したときの乾燥が容易であるために、沸点が１９０℃以下であることが好ましく、より好ましくは１８０℃以下である。
【００４７】
顔料組成物Ａ、顔料分散体Ａおよび顔料分散体Ｂに用いられる有機溶剤は、顔料１００重量部に対し好ましくは４６０〜８１０重量部、さらに好ましくは４９０〜５９０重量である。
【００４８】
＜顔料分散体Ｃに光重合性単量体を混合する方法：工程（ｂ）＞
本発明のカラーフィルタ用着色レジストの製造方法において、工程（ｂ）は、工程（ａ）で得られた顔料分散体Ｃに、光重合性単量体を混合する工程からなる。
工程（ｂ）では、カラーフィルタ用着色レジストを紫外線照射により硬化するときには、さらに光重合開始剤が混合される。
【００４９】
（光重合性単量体）
工程（ｂ）で用いられる光重合性単量体とは、活性エネルギー線の照射により硬化して透明樹脂を生成する、エチレン性不飽和二重結合を有する化合物を意味し、モノマー、及び一般にオリゴマーと呼ばれている平均分子量１０００未満程度の低重合体で、エチレン性不飽和二重結合を有するものも含む。
【００５０】
光重合性単量体としては、単官能（メタ）アクリレート類、多官能（メタ）アクリレート類、エポキシ（メタ）アクリレート類、ビニルエーテル類等を用いることができる。光重合性単量体は、オリゴマーとなっていてもよい。
単官能（メタ）アクリレート類として具体的には、メチル（メタ）アクリレート、エチル（メタ）アクリレート、ブチル（メタ）アクリレート、２−ヒドロキシエチル（メタ）アクリレート、２−ヒドロキシプロピル（メタ）アクリレート、シクロヘキシル（メタ）アクリレート、ジシクロペンタニル（メタ）アクリレート、及びβ−カルボキシエチル（メタ）アクリレート等が挙げられる。
二官能（メタ）アクリレート類として具体的には、エチレングリコールジ（メタ）アクリレート、ジエチレングリコールジ（メタ）アクリレート、トリエチレングリコールジ（メタ）アクリレート、プロプレングリコールポリエチレングリコールジ（メタ）アクリレート、ポリプロピレングリコールジ（メタ）アクリレート、１，６−ヘキサンジオールジ（メタ）アクリレート、ジメチロールトリシクロデカンジ（メタ）アクリレート、及びトリプロピレングリコールジ（メタ）アクリレート等が挙げられる。
三官能以上の多官能（メタ）アクリレート類として具体的には、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、及びジペンタエリスリトールヘキサ（メタ）アクリレート等が挙げられる。
エポキシ（メタ）アクリレート類として具体的には、１, ６−ヘキサンジオールジグリシジルエーテルの（メタ）アクリル酸付加物、ネオペンチルグリコールジグリシジルエーテルの（メタ）アクリル酸付加物、グリセロールジグリシジルエーテルの（メタ）アクリル酸付加物、グリセロールトリグリシジルエーテルの（メタ）アクリル酸付加物、ビスフェノールＡ型エポキシの（メタ）アクリル酸付加物、ビスフェノールＦ型エポキシの（メタ）アクリル酸付加物、及びノボラック型エポキシの（メタ）アクリル酸付加物等が挙げられる。
これらの（メタ）アクリレート類は、アルキレンオキシドやカプロラクトン等で変性されていてもよい。
【００５１】
また、ビニルエーテル類として具体的には、ヒドロキシエチルビニルエーテル、エチレングリコールジビニルエーテル、ペンタエリスリトールトリビニルエーテル等が挙げられる。
他に、トリス［２−（メタ）アクリロイルオキシエチル）］イソシアヌレート、ジイソシアネート類のイソシアヌレートとヒドロキシアルキル（メタ）アクリレートとの反応物；（メタ）アクリル酸；スチレン；酢酸ビニル；（メタ）アクリルアミド、Ｎ−ヒドロキシメチル（メタ）アクリルアミド、Ｎ−ビニルホルムアミド、アクリロニトリル等の窒素元素を有する単官能モノマーを光重合性単量体として用いることができる。
さらに、ポリウレタン、ポリエステル、メチロールメラミン樹脂、ポリジメチルシロキサン、ロジン等のオリゴマーに（メタ）アクリロイル基を導入したものも用いることができる。
【００５２】
（光重合開始剤）
光重合開始剤としては、
４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン、又は２−メチル−１−［４−（メチルチオ）フェニル］−２−モルフォリノプロパン−１−オン等のアセトフェノン系光重合開始剤；
ベンゾイン、ベンゾインメチルエーテル、ベンゾインエチルエーテル、ベンゾインイソプロピルエーテル、又はベンジルジメチルケタール等のベンゾイン系光重合開始剤；
ベンゾフェノン、ベンゾイル安息香酸、ベンゾイル安息香酸メチル、４−フェニルベンゾフェノン、ヒドロキシベンゾフェノン、アクリル化ベンゾフェノン、又は４−ベンゾイル−４’−メチルジフェニルサルファイド等のベンゾフェノン系光重合開始剤；
チオキサンソン、２−クロルチオキサンソン、２−メチルチオキサンソン、イソプロピルチオキサンソン、又は２，４−ジイソプロピルチオキサンソン等のチオキサンソン系光重合開始剤；
２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、又は２，４−トリクロロメチル（４’−メトキシスチリル）−６−トリアジン等のトリアジン系光重合開始剤；
ボレート系光重合開始剤；カルバゾール系光重合開始剤；イミダゾール系光重合開始剤等が用いられる。
光重合開始剤は、顔料１００重量部に対して、５〜１５０重量部の量で用いることができる。
上記光重合開始剤は、単独あるいは２種以上混合して用いるが、増感剤として、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン、及び４，４’−ジエチルアミノベンゾフェノン等の化合物を併用することもできる。
増感剤は、光重合開始剤１００重量部に対して、０．１〜１５０重量部の量で用いることができる。
【００５３】
（任意成分）
また、工程（ｂ）では、さらに必要に応じ、顔料分散体に使用するものと同様の透明樹脂、有機溶剤、レベリング剤、その他の成分を添加することができる。
透明樹脂は、顔料の全重量を基準（１００重量％）として、最終的に得られるカラーフィルタ用着色レジストに含まれる量が３０〜５００重量％になる範囲で用いることができる。３０重量％以上では、成膜性および諸耐性が良好となり、５００重量％以下では顔料濃度が充分となり、色特性を発現できるため、好ましい。
【００５４】
（レベリング剤）
レベリング剤は、基板上での着色レジストのレベリング性を良くするため添加する。レベリング剤としては、主鎖にポリエーテル構造又はポリエステル構造を有するジメチルシロキサンが好ましい。主鎖にポリエーテル構造を有するジメチルシロキサンの具体例としては、東レ・ダウコーニング社製ＦＺ−２１２２、ビックケミー社製ＢＹＫ−３３３等が挙げられる。主鎖にポリエステル構造を有するジメチルシロキサンの具体例としては、ビックケミー社製ＢＹＫ−３１０、ＢＹＫ−３７０等が挙げられる。主鎖にポリエーテル構造を有するジメチルシロキサンと、主鎖にポリエステル構造を有するジメチルシロキサンとは、併用することもできる。レベリング剤の含有量は通常、着色レジストの全重量を基準（１００重量％）として０．００３〜０．５重量％である。
【００５５】
（その他の成分）
工程（ｂ）では、着色レジストの経時粘度を安定化させるために貯蔵安定剤を含有させることができる。また、基板との密着性を高めるためにシランカップリング剤等の密着向上剤を含有させることもできる。
【００５６】
[貯蔵安定剤]
貯蔵安定剤としては、例えば、ベンジルトリメチルアンモニウムクロライド、およびジエチルヒドロキシアミン塩酸塩等の４級アンモニウムクロライド類；乳酸、およびシュウ酸等の有機酸類；前記有機酸のメチルエステル類；ｔ−ブチルピロカテコール等のピロカテコール類；テトラエチルホスフィン、およびテトラフェニルフォスフィン等の有機ホスフィン類；亜リン酸塩等が挙げられる。
貯蔵安定剤は、着色レジスト中の有機顔料１００重量部に対して、０．１〜１０重量部の量用いることができる。
【００５７】
[シランカップリング剤]
シランカップリング剤としては、
ビニルトリス（β−メトキシエトキシ）シラン、ビニルエトキシシラン、ビニルトリメトキシシラン等のビニルシラン類；
γ−メタクリロキシプロピルトリメトキシシラン等の（メタ）アクリルシラン類；
β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等のエポキシシラン類；
Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン類；
γ−メルカプトプロピルトリメトキシシラン、γ−メルカプトプロピルトリエトキシシラン等のチオシラン類等が挙げられる。
シランカップリング剤は、着色レジスト中の有機顔料１００重量部に対して、０．０１〜１０重量部、好ましくは０．０５〜５重量部の量で用いることができる。
【００５８】
(粗大粒子の除去)
顔料分散体Ａ、顔料分散体Ｂ、顔料分散体Ｃおよびカラーフィルタ用着色レジストは、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子および混入した塵の除去を行うことが好ましい。特に好ましくは、０．３μｍ以上の粒子を除去する。なお、ここでの粒子径は、ＳＥＭにより測定した粒子径を意味する。
【００５９】
＜カラーフィルタ＞
つぎに、本発明の製造方法により製造されるカラーフィルタ用着色レジストを用いたカラーフィルタの製造方法について説明する。
本発明のカラーフィルタは、基板上にフィルタセグメントを具備するものであり、例えば、ブラックマトリックスと、赤色、緑色、青色のフィルタセグメントとを備えることができる。前記フィルタセグメントは、スピンコート方式あるいはダイコート方式によって着色レジストを塗布したのち、紫外線等の活性エネルギー線を照射してフィルタセグメントとなる部分を硬化し、ついで現像することにより、基板上に形成される。
【００６０】
本発明の製造方法により製造されるカラーフィルタ用着色レジストは、緑色のフィルタセグメントの形成に用いられ、赤色、青色のフィルタセグメントは、赤色着色レジスト、青色着色レジストを用いて形成される。
緑色以外の各色着色レジストとしては、各色顔料、前記透明樹脂、前記光重合性単量体を含有する通常の各色着色レジストを用いて形成することができる。
赤色着色レジストには、例えばＣ．Ｉ．Ｐｉｇｍｅｎｔ  Ｒｅｄ ７、１４、４１、４８：１、４８：２、４８：３、４８：４、８１：１、８１：２、８１：３、８１：４、１４６、１６８、１７７、１７８、１８４、１８５、１８７、２００、２０２、２０８、２１０、２４６、２５４、２５５、２６４、２７０、２７２、２７９等の赤色顔料が用いられる。赤色着色レジストには、Ｃ．Ｉ．Ｐｉｇｍｅｎｔ Ｏｒａｎｇｅ ４３、７１、７３等の20
橙色顔料を併用することができる。
【００６１】
また、青色着色レジストには、例えば、Ｃ．Ｉ．Ｐｉｇｍｅｎｔ Ｂｌｕｅ １５、１５：１、１５：２、１５：３、１５：４、１５：６、１６、２２、６０、６４等の青色顔料が用いられる。青色着色レジストには、Ｃ．Ｉ．Ｐｉｇｍｅｎｔ Ｖｉｏｌｅｔ １、１９、２３、２７、２９、３０、３２、３７、４０、４２、５０等の紫色顔料を併用することができる。
【００６２】
カラーフィルタの基板としては、可視光に対して透過率の高いソーダ石灰ガラス、低アルカリ硼珪酸ガラス、無アルカリアルミノ硼珪酸ガラス等のガラス板や、ポリカーボネート、ポリメタクリル酸メチル、ポリエチレンテレフタレート等の樹脂板が用いられる。また、ガラス板や樹脂板の表面には、パネル化後の液晶駆動のために、酸化インジウム、酸化錫等からなる透明電極が形成されていてもよい。
【００６３】
現像に際しては、アルカリ現像液として炭酸ナトリウム、水酸化ナトリウム等の水溶液が使用され、ジメチルベンジルアミン、トリエタノールアミン等の有機アルカリを用いることもできる。また、現像液には、消泡剤や界面活性剤を添加することもできる。
現像方法としては、シャワー現像法、スプレー現像法、ディップ（浸漬）現像法、パドル（液盛り）現像法等を適用することができる。
なお、紫外線露光感度を上げるために、着色レジストを塗布乾燥後、水溶性またはアルカリ可溶性樹脂、例えばポリビニルアルコールや水溶性アクリル樹脂等を塗布乾燥し、酸素による重合阻害を防止する膜を形成した後、紫外線露光を行うこともできる。
【００６４】
基板上にフィルタセグメントを形成する前に、あらかじめブラックマトリクスを形成しておくと、液晶表示パネルのコントラスト比を一層高めることができる。ブラックマトリクスとしては、クロムやクロム／酸化クロムの多層膜、窒化チタニウム等の無機膜や、遮光剤を分散した樹脂膜が用いられるが、これらに限定されない。また、基板上に薄膜トランジスター（ＴＦＴ）をあらかじめ形成しておき、その後にフィルタセグメントを形成することもできる。ＴＦＴ基板上にフィルタセグメントを形成することにより、液晶表示パネルの開口率を高め、輝度を向上させることができる。
【００６５】
カラーフィルタ上には、必要に応じてオーバーコート膜や柱状スペーサー、透明導電膜、液晶配向膜等が形成される。
カラーフィルタは、シール剤を用いて対向基板と張り合わせ、シール部に設けられた注入口から液晶を注入したのち注入口を封止し、必要に応じて偏光膜や位相差膜を基板の外側に張り合わせることにより、液晶表示パネルが製造される。
かかる液晶表示パネルは、ツイステッド・ネマティック（ＴＮ）、スーパー・ツイステッド・ネマティック（ＳＴＮ）、イン・プレーン・スイッチング（ＩＰＳ）、ヴァーティカリー・アライメント（ＶＡ）、オプティカリー・コンベンセンド・ベンド（ＯＣＢ）等のカラーフィルタを使用してカラー化を行う液晶表示モードに使用することができる。
【実施例】
【００６６】
以下に、実施例により本発明をより具体的に説明するが、本発明はその要旨を超えない限り以下の実施例に限定されるものではない。
なお、実施例及び比較例中、「部」及び「％」とは「重量部」及び「重量％」をそれぞれ意味する。
【００６７】
まず、実施例及び比較例で用いたアクリル樹脂溶液、微細化処理顔料、顔料組成物Ａ、顔料分散体Ａ、顔料分散体Ｂの製造方法、及び顔料分散剤溶液の調整について説明する。
【００６８】
なお、アクリル樹脂の分子量は、装置としてＨＬＣ−８２２０ＧＰＣ（東ソー株式会社製）を用い、カラムとしてＴＳＫ−ＧＥＬ  ＳＵＰＥＲ  ＨＺＭ−Ｎを２連でつなげて使用し、溶媒としてＴＨＦを用いて測定したポリスチレン換算の重量平均分子量である。
【００６９】
また、顔料の体積平均一次粒子径（ＭＶ）は、透過型（ＴＥＭ）電子顕微鏡写真を用いて、１００個の顔料の一次粒子の短軸径と長軸径を計測し、短軸径と長軸径の平均をその顔料粒子の粒径（ｄ）とし、次いで個々の顔料が、求めた粒径を有する球と仮定してそれぞれの粒子の体積（Ｖ）を求め、この作業を１００個の顔料粒子について行い、そこから下式より算出した。
ＭＶ＝Σ（Ｖ・ｄ）／Σ（Ｖ）
【００７０】
＜アクリル樹脂溶液の製造＞
温度計、冷却管、窒素ガス導入管、滴下管及び撹拌装置を備えたセパラブル４口フラスコに、プロピレングリコールモノメチルエーテルアセテート７０．０部を仕込み、８０℃に昇温し、フラスコ内を窒素置換した後、滴下管より、ｎ−ブチルメタクリレート１３．３部、２−ヒドロキシエチルメタクリレート４．６部、メタクリル酸４．３部、パラクミルフェノール エチレン オキサイド変性アクリレート（東亜合成社製アロニックスＭ１１０）７．４部及び２，２'−アゾビスイソブチロニトリル０．４部の混合物を２時間かけて滴下した。滴下終了後、さらに３時間反応を継続し、重量平均分子量（Ｍｗ）が２６，０００のアクリル樹脂溶液を得た。
室温まで冷却した後、アクリル樹脂溶液約２ｇをサンプリングして１８０℃、２０分加熱乾燥して固形分を測定した。測定結果に基づき、先に合成したアクリル樹脂溶液に、固形分が３０％になるように、プロピレングリコールモノメチルエーテルアセテートを添加して、アクリル樹脂溶液を得た。
【００７１】
＜微細化処理顔料の製造＞
（緑色微細化処理顔料（ＰＧ−１）の製造）
緑色顔料Ｃ．Ｉ．Ｐｉｇｍｅｎｔ Ｇｒｅｅｎ ５８（ＤＩＣ株式会社製「ファーストゲーングリーンＡ１１０」）５００部、塩化ナトリウム１５００部、及びジエチレングリコール２５０部をステンレス製１ガロンニーダー（井上製作所社製）に仕込み、１２０℃で８時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、緑色微細化処理顔料（ＰＧ−１）を得た。得られた顔料の体積平均一次粒子径は２５ｎｍであった。
【００７２】
（黄色微細化処理顔料（ＰＹ−１）の製造）
金属錯体系黄色顔料Ｃ．Ｉ．Ｐｉｇｍｅｎｔ Ｙｅｌｌｏｗ１５０（ランクセス社「Ｅ４ＧＮ」）５００部、塩化ナトリウム２５００部、及びジエチレングリコール２５０部をステンレス製１ガロンニーダー（井上製作所製）に仕込み、１００℃で６時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、黄色微細化処理顔料（ＰＹ−１）を得た。得られた顔料の体積平均一次粒子径は２８ｎｍであった。
【００７３】
（黄色微細化処理顔料（ＰＹ−２）の製造）
キノフタロン系黄色顔料Ｃ．Ｉ．Ｐｉｇｍｅｎｔ Ｙｅｌｌｏｗ１３８（ＢＡＳＦ社製「パリオトールイエロー Ｋ０９６０−ＨＤ」）５００部、塩化ナトリウム２５００部、及びジエチレングリコール：２５０部をステンレス製１ガロンニーダー（井上製作所社製）に仕込み、１００℃で６時間混練した。次に、この混練物を５リットルの温水に投入し、７０℃に加熱しながら１時間攪拌してスラリー状とし、濾過、水洗を繰り返して塩化ナトリウム及びジエチレングリコールを除いた後、８０℃で一昼夜乾燥し、黄色微細化処理顔料（ＰＹ−２）を得た。得られた顔料の体積平均一次粒子径は２６ｎｍであった。
【００７４】
＜顔料分散剤溶液Ｘの調整＞
樹脂型分散剤（味の素ファインテクノ社製「アジスパーＰＢ８２１」）をプロピレングリコールモノメチルエーテルアセテートで希釈し、固形分３０％の顔料分散剤溶液（Ｘ−１）を調整した。また、同様に樹脂型分散剤（ビックケミー・ジャパン社製「ＢＹＫ２００１」）をプロピレングリコールモノメチルエーテルアセテートで希釈し、固形分３０％の顔料分散剤溶液（Ｘ−２）を調整した。
【００７５】
＜顔料組成物Ａ、顔料分散体Ａの製造＞
（緑色顔料組成物（Ａ−１）の製造）
緑色微細化処理顔料（ＰＧ−１）２２．５部、顔料分散剤溶液（Ｘ−１）１５．０部、アクリル樹脂溶液１０．０部、およびプロピレングリコールモノメチルエーテルアセテート５２．５部の混合物を１．０時間、ディスパーで均一に撹拌混合し緑色顔料組成物（Ａ−１）を得た。
【００７６】
（緑色顔料分散体（Ａ−２）の製造）
緑色顔料組成物（Ａ−１）５７．８部、アクリル樹脂溶液８．９部を直径０．５ｍｍのジルコニアビーズを用いて、メディア型湿式分散機としてアイガーミル（アイガージャパン社製「ミニモデルＭ−２５０ ＭＫＩＩ」）を用いて４時間分散し、さらにプロピレングリコールモノメチルエーテルアセテート３３．３部を追加し０．５時間分散し、緑色顔料分散体（Ａ−２）を得た。
【００７７】
（緑色顔料分散体（Ａ−３）の製造）
緑色微細化処理顔料（ＰＧ−１）３５．８部、顔料分散剤溶液（Ｘ−１）２３．９部、アクリル樹脂溶液４０．３部の混合物を充分混合した後、２本ロールミルにて練肉し、シート状物とした。このシート状物を数枚に折り畳み、再度２本ロールミルに通した。この工程を１０〜４０回繰り返し行った後、粉砕機で粉砕し、緑色顔料分散体（Ａ−３）を得た。得られた顔料分散体（Ａ−３）の固形分を測定したところ９２％であった。
【００７８】
（緑色顔料分散体（Ａ−４）の製造）
緑色顔料分散体（Ａ−３）２１．７部、プロピレングリコールモノメチルエーテルアセテート４５．０部を混合した後、直径０．５ｍｍのジルコニアビーズを用いて、メディア型湿式分散機としてアイガーミル（アイガージャパン社製「ミニモデルＭ−２５０ ＭＫＩＩ」）を用いて４時間分散し、さらにプロピレングリコールモノメチルエーテルアセテート３３．３部を追加し０．５時間分散し、緑色顔料分散体（Ａ−４）を得た。
【００７９】
＜顔料分散体Ｂの製造＞
（黄色顔料分散体（Ｂ−１）の製造）
黄色微細化処理顔料（ＰＹ−１）を１０．０部、顔料分散剤溶液（Ｘ−１）６．７部、アクリル樹脂溶液２６．７部、およびプロピレングリコールモノメチルエーテルアセテート２３．４部の混合物をディスパーで均一に撹拌混合した後、直径０．５ｍｍのジルコニアビーズを用いて、メディア型湿式分散機としてアイガーミル（アイガージャパン社製「ミニモデルＭ−２５０ ＭＫＩＩ」）を用いて４時間分散した後、プロピレングリコールモノメチルエーテルアセテート３３．２部を添加し、黄色顔料分散体（Ｂ−１）を得た。
【００８０】
（黄色顔料分散体（Ｂ−２）の製造）
黄色微細化処理顔料を（ＰＹ−２）とし、顔料分散剤溶液（Ｘ−１）を顔料分散剤溶液（Ｘ−２）にした以外は、（黄色顔料分散体（Ｂ−１）の製造）と同様に黄色顔料分散体（Ｂ−２）を得た。
【００８１】
［実施例１］
緑色顔料組成物（Ａ−１）７０．０部に、黄色顔料分散体（Ｂ−１）３０．０部を加え、直径０．５ｍｍのジルコニアビーズを用いて、メディア型湿式分散機としてアイガーミル（アイガージャパン社製「ミニモデルＭ−２５０ ＭＫＩＩ」）を用いて４．０時間分散し、さらにアクリル樹脂溶液、およびプロピレングリコールモノメチルエーテルアセテートを用いて顔料分５０％、固形分１８％となるように調整し、５．０μmのフィルタで濾過をすることにより顔料分散体（ＤＧ−１）を得た。次に、顔料分散体（ＤＧ−１）６０．０部、アクリル樹脂溶液１１．０部、トリメチロールプロパントリアクリレート（新中村化学社製「ＮＫエステルＡＴＭＰＴ」）４．２部、光重合開始剤（チバ・ジャパン社製「イルガキュアー９０７」）１．２部、増感剤（保土ヶ谷化学社製「ＥＡＢ−Ｆ」）０．４部、およびプロピレングリコールモノメチルエーテルアセテート２３．２部の混合物を均一になるように攪拌混合した後、１．０μmのフィルタで濾過して、カラーフィルタ用着色レジスト（ＣＧ−１）を得た。
【００８２】
［実施例２］
緑色顔料分散体（Ａ−２）８０．２部、黄色顔料分散体（Ｂ−１）１９．８部を加え、直径０．５ｍｍのジルコニアビーズを用いて、メディア型湿式分散機としてアイガーミル（アイガージャパン社製「ミニモデルＭ−２５０ ＭＫＩＩ」）を用いて０．５時間分散し、さらにアクリル樹脂溶液、およびプロピレングリコールモノメチルエーテルアセテートを用いて顔料分５０％、固形分１８％となるように調整し、５．０μmのフィルタで濾過をすることにより顔料分散体（ＤＧ−２）を得た。次に、顔料分散体（ＤＧ−２）６０．０部、アクリル樹脂溶液１１．０部、トリメチロールプロパントリアクリレート（新中村化学社製「ＮＫエステルＡＴＭＰＴ」）４．２部、光重合開始剤（チバ・ジャパン社製「イルガキュアー９０７」）１．２部、増感剤（保土ヶ谷化学社製「ＥＡＢ−Ｆ」）０．４部、およびプロピレングリコールモノメチルエーテルアセテート２３．２部の混合物を均一になるように攪拌混合した後、１．０μmのフィルタで濾過して、カラーフィルタ用着色レジスト（ＣＧ−２）を得た。
【００８３】
［実施例３］
緑色顔料分散体（Ａ−３）２３．６部に、黄色顔料分散体（Ｂ−１）２６．９部、プロピレングリコールモノメチルエーテルアセテート４９．５部を加え、直径０．５ｍｍのジルコニアビーズを用いて、メディア型湿式分散機としてアイガーミル（アイガージャパン社製「ミニモデルＭ−２５０ ＭＫＩＩ」）を用いて４．０時間分散し、さらにアクリル樹脂溶液、およびプロピレングリコールモノメチルエーテルアセテートを用いて顔料分５０％、固形分１８％となるように調整し、５．０μmのフィルタで濾過をすることにより顔料分散体（ＤＧ−３）を得た。次に、顔料分散体（ＤＧ−３）６０．０部、アクリル樹脂溶液１１．０部、トリメチロールプロパントリアクリレート（新中村化学社製「ＮＫエステルＡＴＭＰＴ」）４．２部、光重合開始剤（チバ・ジャパン社製「イルガキュアー９０７」）１．２部、増感剤（保土ヶ谷化学社製「ＥＡＢ−Ｆ」）０．４部、およびプロピレングリコールモノメチルエーテルアセテート２３．２部の混合物を均一になるように攪拌混合した後、１．０μmのフィルタで濾過して、カラーフィルタ用着色レジスト（ＣＧ−３）を得た。
【００８４】
［実施例４］
緑色顔料分散体（Ａ−４）８０．１部に、黄色顔料分散体（Ｂ−１）１９．９部を加え、直径０．５ｍｍのジルコニアビーズを用いて、メディア型湿式分散機としてアイガーミル（アイガージャパン社製「ミニモデルＭ−２５０ ＭＫＩＩ」）を用いて４．０時間分散し、さらにアクリル樹脂溶液、およびプロピレングリコールモノメチルエーテルアセテートを用いて顔料分５０％、固形分１８％となるように調整し、５．０μmのフィルタで濾過をすることにより顔料分散体（ＤＧ−４）を得た。次に、顔料分散体（ＤＧ−４）６０．０部、アクリル樹脂溶液１１．０部、トリメチロールプロパントリアクリレート（新中村化学社製「ＮＫエステルＡＴＭＰＴ」）４．２部、光重合開始剤（チバ・ジャパン社製「イルガキュアー９０７」）１．２部、増感剤（保土ヶ谷化学社製「ＥＡＢ−Ｆ」）０．４部、およびプロピレングリコールモノメチルエーテルアセテート２３．２部の混合物を均一になるように攪拌混合した後、１．０μmのフィルタで濾過して、カラーフィルタ用着色レジスト（ＣＧ−４）を得た。
【００８５】
［実施例５〜１５］
表１に示した顔料組成物Ａと、顔料分散体Ｂとの種類の組み合せ、及び混合比率を変更した以外は、実施例１と同様にしてカラーフィルタ用着色レジスト（ＣＧ−５〜１５）を得た。
【００８６】
［比較例１］
緑色顔料分散体（Ａ−１）７０．０部と、黄色顔料分散体（Ｂ−１）３０．０部を均一になるようにディスパーで攪拌混合し、（この際に、メディア型分散機は通さず、分散処理は施さない。）さらにアクリル樹脂溶液、およびプロピレングリコールモノメチルエーテルアセテートを用いて顔料分５０％、固形分１８％となるように調整し、５．０μmのフィルタで濾過をすることにより顔料分散体（ＤＧ−Ｃ１）を得た。次に、顔料分散体（ＤＧ−Ｃ１）６０．０部、アクリル樹脂溶液１１．０部、トリメチロールプロパントリアクリレート（新中村化学社製「ＮＫエステルＡＴＭＰＴ」）４．２部、光重合開始剤（チバ・ジャパン社製「イルガキュアー９０７」）１．２部、増感剤（保土ヶ谷化学社製「ＥＡＢ−Ｆ」）０．４部、およびプロピレングリコールモノメチルエーテルアセテート２３．２部の混合物を均一になるように攪拌混合した後、１．０μmのフィルタで濾過して、カラーフィルタ用着色レジスト（ＣＧ−Ｃ１）を得た。
【００８７】
［比較例２］
表１に示した顔料分散体Ａおよび顔料分散体Ｂの種類の組み合せ、及び配合比率に変更して顔料分散体（ＤＧ−Ｃ２）を得た以外は、比較例１と同様にしてカラーフィルタ用着色レジスト（ＣＧ−Ｃ２）を得た。
【００８８】
［比較例３］
緑色微細化処理顔料（ＰＧ−１）を１０．４部、黄色微細化処理顔料（ＰＹ−１）を２．０部、顔料分散剤溶液（Ｘ−１）８．３部、アクリル樹脂溶液１７．１部、およびプロピレングリコールモノメチルエーテルアセテート２９．１部の混合物を均一に撹拌混合した後、直径０．５ｍｍのジルコニアビーズを用いて、メディア型湿式分散機としてアイガーミル（アイガージャパン社製「ミニモデルＭ−２５０ ＭＫＩＩ」）を用いて４時間分散し、プロピレングリコールモノメチルエーテルアセテート３３．１部を加え０．５時間分散し、さらにアクリル樹脂溶液、およびプロピレングリコールモノメチルエーテルアセテートを用いて顔料分５０％、固形分１８％となるように調整し、５．０μmのフィルタで濾過をすることにより顔料分散体（ＤＧ−Ｃ３）を得た。次に、顔料分散体（ＤＧ−Ｃ３）６０．０部、アクリル樹脂溶液１１．０部、トリメチロールプロパントリアクリレート（新中村化学社製「ＮＫエステルＡＴＭＰＴ」）４．２部、光重合開始剤（チバ・ジャパン社製「イルガキュアー９０７」）１．２部、増感剤（保土ヶ谷化学社製「ＥＡＢ−Ｆ」）０．４部、およびプロピレングリコールモノメチルエーテルアセテート２３．２部の混合物を均一になるように攪拌混合した後、１．０μmのフィルタで濾過して、カラーフィルタ用着色レジスト（ＣＧ−Ｃ３）を得た。
【００８９】
【表１】
2010250225.tif 000002
【００９０】
以下に、カラーフィルタ用着色レジストの評価方法について説明する。
（初期粘度、経時増粘率の測定）
カラーフィルタ用着色レジストの粘度は、カラーフィルタ用着色レジスト調整当日２５℃において、Ｅ型粘度計（東機産業社製「ＥＬＤ型粘度計」）を用いて回転数２０ｒｐｍにおける粘度（初期粘度）を測定した。
そして、カラーフィルタ用着色レジスト調整当日から数えて７日間４０℃で静置したものについて、２５℃にサンプル温度を戻した後に、上記粘度測定法に従い、経時粘度を測定し、下式から経時増粘率を求めた。
経時増粘率＝（経時粘度）／（初期粘度）×１００（％）
【００９１】
（初期コントラスト比、経時コントラスト比変化率の測定法）
各カラーフィルタ用着色レジストを１０ｃｍ×１０ｃｍのガラス基板上にスピンコータで塗工し、７０℃のオーブン内に１５分間静置、余剰の溶剤を除去乾燥させ、約２．０μｍの厚さのカラーフィルタ用着色レジストが塗布されたガラス基板を作成し、下記の方法でコントラスト比を測定した。
カラーフィルタ用着色レジスト塗布基板を２枚の偏光板の間に挟み、一方の偏光板側から液晶ディスプレー用バックライトユニットを用いて光を照射する。バックライトユニットから出た光は、１枚目の偏光板を通過して偏光され、ついでカラーフィルタ用着色レジスト塗布基板を通過し、２枚目の偏光板に到達する。１枚目の偏光板と２枚目の偏光板の偏光面が平行であれば、光は１枚目の偏光板を透過するが、偏光面が直行している場合には光は２枚目の偏光板により遮断される。しかし、１枚目の偏光板によって偏光された光が、カラーフィルタ用着色レジスト塗布基板を通過するときに、顔料粒子による散乱等が起こり偏光面の一部にずれを生じると、偏光板が平行のときは２枚目の偏光板を透過する光量が減り、偏光板が直行のときは２枚目の偏光板を光の一部が透過する。この透過光の輝度を偏光板上の輝度計にて測定し、偏光板が平行のときの輝度と直行のときの輝度との比をコントラスト比とする。
コントラスト比＝（平行のときの輝度）／（直行のときの輝度）
【００９２】
カラーフィルタ用着色レジスト塗布膜中の顔料により散乱が起こると、平行のときの輝度が低下し、かつ直行のときの輝度が増加するため、コントラスト比が低くなる。
なお、輝度計は株式会社トプコン社製「色彩輝度計ＢＭ−５Ａ」、偏光板はサンリツ社製「偏光フィルムＬＬＣ２−９２−１８」を用いた。なお、測定に際しては、不要光を遮断するために、測定部分に１ｃｍ角の孔を開けた黒色のマスクを当てた。
そして、カラーフィルタ用着色レジストの分散当日から数えて７日間４０℃で静置したものについて、上述の方法と同様にして、経時コントラスト比を測定し、下式から経時コントラスト比変化率を算出した。
経時コントラスト比変化率＝経時コントラスト比／初期コントラスト比×１００（％）
【００９３】
（評価）
経時安定性に関しては、経時増粘率、経時コントラスト比変化率により評価を行った。経時増粘率は９０％〜１２０％であれば実用上耐えうる。この範囲を超え減粘又は増粘してしまうと、カラーフィルタ用着色レジストをガラス基板に塗工するときに、同一の塗工条件で塗布することが出来ず、生産性に問題が出てきてしまう。より好ましくは、９５％〜１０５％の範囲である。また、経時コントラスト比変化率は９０％以上であることが好ましく、より好ましくは、９５％以上である。８９％以下であると、極端にライフの短いカラーフィルタ用着色レジストとなってしまう。
上記のようにして得られたカラーフィルタ用着色レジスト（ＣＧ−１〜１５）の経時増粘率、経時コントラスト比変化率の評価結果を表２に示す。
【００９４】
【表２】
2010250225.tif 000003
【００９５】
実施例のように、ハロゲン化亜鉛フタロシアニン顔料を含む緑色有機顔料Ａと透明樹脂または有機溶剤を含む顔料組成物Ａ、またはハロゲン化亜鉛フタロシアニン顔料を含む緑色有機顔料Ａを透明樹脂および有機溶剤に湿式分散処理してなる顔料分散体Ａと、黄色有機顔料Ｂを透明樹脂および有機溶剤に湿式分散してなる顔料分散体Ｂとを混合し、さらにメディア型湿式分散機を用いて湿式分散することによって、経時増粘率が９０％〜１２０％であり、経時コントラスト比変化率が９０％以上の経時保存安定性にすぐれたカラーフィルタ用着色レジストを得る事ができた。
【００９６】
中でも、顔料組成物Ａがハロゲン化亜鉛フタロシアニン顔料を含む緑色有機顔料Ａと透明樹脂または有機溶剤を湿式分散してなる顔料分散体Ａである場合には、初期のコントラスト比が高く、良好であった。
また、顔料分散体Ｃの全顔料重量を基準として、有機顔料Ａの含有量が６８〜９５％の範囲であると、更に経時増粘率、経時コントラスト比変化率がより好ましい範囲であり、優れた結果を示した。
これに対し、比較例では、顔料分散体Ａと顔料分散体Ｂとを混合攪拌のみをした場合、２種類の顔料を一緒に分散した場合では特に経時コントラスト比の減少が大きくライフの極端に短いカラーフィルタ用着色レジストとなってしまう。